(57)【要約】【課題】  特にストッパ本体をドアに埋め込むタイプのドアストッパであって、取り付け間違いが発生することのないストッパ本体を備えたドアストッパを提供する。【解決手段】  ドアの下部に固定されるストッパ本体３は、ドアの下辺と略平行な軸線を回動軸線として前後回動可能に軸支された下面がフラットなマグネット部１０を有している。ストッパ本体３は、ドアに固定される下面が開口した横長のケーシング６を備えている。ケーシング６は、その長手方向と直交する面で左右対称に分割されて形成された２個のケーシング構成部材６ａ、６ｂからなり、２個のケーシング構成部材６ａ、６ｂには、それぞれマグネット部１０の水平中心線上に位置する回動軸１１ａ、１１ｂが挿入される軸受１３ａ、１３ｂが形成されている。【選択図】  図９
2015108222.tif 000002
【特許請求の範囲】
【請求項１】
ドアの下部に固定され、当該ドアの下辺と略平行な軸線を回動軸線として前後回動可能に軸支されたマグネット部を有するストッパ本体と、
前記ドアの所定の開扉位置における床面に固定され、前記所定の開扉位置における前記ドアの下辺と略平行な軸線を回動軸線として上下回動可能に基端が軸支された磁性体からなる係止片を有する係止具本体と、を備え、
前記マグネット部の吸引力により、前記係止片の自由端が前記床面から突出して前記ストッパ本体と係合し、前記ドアを前記所定の開扉位置に保持するドアストッパであって、
前記ストッパ本体は、前記ドアに固定される下面が開口した横長のケーシングを備え、
前記ケーシングは、その長手方向と直交する面で左右対称に分割されて形成された２個のケーシング構成部材からなり、前記２個のケーシング構成部材には、それぞれ前記マグネット部の水平中心線上に位置する回動軸が挿入される軸受が形成されていることを特徴とするドアストッパ。
【請求項２】
前記２個のケーシング構成部材の対向する端面には、それぞれ、左右いずれか一方に凸部が形成され、他方に凹部が形成されており、前記２個のケーシング構成部材は、一方のケーシング構成部材の端面に形成された凸部を他方のケーシング構成部材の端面に形成された凹部に挿入することによって連結される、請求項１に記載のドアストッパ。
【請求項３】
前記マグネット部は、下面がフラットなマグネット収容容器と、前記マグネット収容容器に収容されるマグネットと、からなる、請求項１又は２に記載のドアストッパ。
【発明の詳細な説明】
【技術分野】
【０００１】
本発明は、ドアを所定の開扉位置に保持するためのドアストッパに関する。
【背景技術】
【０００２】
従来、この種のドアストッパとしては、ドア側のマグネットと床面に上下回動可能に設置された磁性体からなる平板状の係止片とを吸着させることにより、ドアを所定の開扉位置に保持するようにしたものが知られている（例えば、特許文献１参照）。特許文献１に開示されたドアストッパにおいて、ドア側のマグネットは、ドアに固定されるケーシングの内部において回動可能に軸支されている。特許文献１に開示されたドアストッパの構成によれば、係止片がマグネットに吸着される際にマグネットも若干回動するため、マグネットと係止片を常に面接触させて、ドアのガタを自動的に修正することができる。
【先行技術文献】
【特許文献】
【０００３】
【特許文献１】特開２００３−３２８６２７号公報
【発明の概要】
【発明が解決しようとする課題】
【０００４】
ところで、特許文献１に開示されたドアストッパは、マグネットを有するストッパ本体がドアの外面に固定されるタイプのものである。本発明者は、特にストッパ本体をドアに埋め込むタイプのドアストッパにおいて、ストッパ本体の取り付け間違い（施工ミス）が発生していることに鑑み、取り付け間違いが発生することのないドアストッパを提供すべく鋭意研究を重ね、特許文献１に開示された技術にさらなる工夫を加えることにより、本発明をするに至った。
【０００５】
本発明は、従来技術における前記課題を解決するためになされたものであり、特にストッパ本体をドアに埋め込むタイプのドアストッパであって、取り付け間違いが発生することのないストッパ本体を備えたドアストッパを提供することを目的とする。
【課題を解決するための手段】
【０００６】
前記目的を達成するため、本発明に係るドアストッパの構成は、
（１）ドアの下部に固定され、当該ドアの下辺と略平行な軸線を回動軸線として前後回動可能に軸支されたマグネット部を有するストッパ本体と、
前記ドアの所定の開扉位置における床面に固定され、前記所定の開扉位置における前記ドアの下辺と略平行な軸線を回動軸線として上下回動可能に基端が軸支された磁性体からなる係止片を有する係止具本体と、を備え、
前記マグネット部の吸引力により、前記係止片の自由端が前記床面から突出して前記ストッパ本体と係合し、前記ドアを前記所定の開扉位置に保持するドアストッパであって、
前記ストッパ本体は、前記ドアに固定される下面が開口した横長のケーシングを備え、
前記ケーシングは、その長手方向と直交する面で左右対称に分割されて形成された２個のケーシング構成部材からなり、前記２個のケーシング構成部材には、それぞれ前記マグネット部の水平中心線上に位置する回動軸が挿入される軸受が形成されていることを特徴とする。
【０００７】
本発明のドアストッパの上記（１）の構成によれば、ストッパ本体は、ドアに固定される下面が開口した横長のケーシングを備え、かつ、前記ドアの下辺と略平行な軸線を回動軸線として前記ケーシング内で前後回動可能に軸支されたマグネット部を有している。また、マグネット部の回動軸は、当該マグネット部の水平中心線上に位置している。すなわち、前記ストッパ本体は、前記ケーシングを前記ドアのケーシング埋設孔に埋め込んで固定する際に向きを問わない構成となっている。言い換えれば、前記ストッパ本体は、前記ケーシングを前記ドアのケーシング埋設孔にどちら向きに埋め込んでも、同じような動きをする。従って、本発明のドアストッパの上記（１）の構成によれば、前記ストッパ本体の取り付け間違いが発生することのないドアストッパを提供することができる。以上のことは、前記ケーシングを前記ドアの外面に固定する場合にも言えることである。また、前記マグネット部は、その水平中心線上に位置する軸線を回動軸線として前記ケーシング内で前後回動可能に軸支されているため、係止片は、常に前記マグネット部と面接触した状態となる。従って、本発明のドアストッパの上記（１）の構成によれば、前記係止片と前記マグネット部との密着性を良好なものとすることができるので、所定の開扉位置に保持された前記ドアがガタつくことはない。また、このように、前記係止片と前記マグネット部との密着性を良好なものとすることができるので、磁力の小さいマグネットを用いた場合であっても、前記ドアを前記所定の開扉位置に保持するのに十分な保持力を確保することができる。また、上記のように、前記マグネット部が、その水平中心線上に位置する軸線を回動軸線として前記ケーシング内で前後回動可能に軸支される構成となっているため、前記ケーシングの高さ、前記マグネット部の厚み等を適宜変更することにより、前記マグネット部の回動範囲を広くとることが可能となる。このため、前記ドアのアンダーカットが５ｍｍと小さくても、３０ｍｍと大きくても、前記係止片が前記マグネット部と面接触した状態となり、前記ドアを前記所定の開扉位置に保持するのに十分な保持力を確保することができる。従って、本発明のドアストッパの上記（１）の構成によれば、前記ストッパ本体に上下調整機構等を設けることなく、アンダーカット５〜３０ｍｍのドアにも容易に対応することが可能なドアストッパを提供することができる。また、本発明のドアストッパの上記（１）の構成によれば、前記ケーシングは、その長手方向と直交する面で左右対称に分割されて形成された２個のケーシング構成部材からなり、前記２個のケーシング構成部材には、それぞれ前記マグネット部の回動軸が挿入される軸受が形成されている。このため、まず、前記マグネット部の一方の回動軸を、一方のケーシング構成部材の軸受に挿入し、次いで、他方のケーシング構成部材の軸受を、前記マグネット部の他方の回動軸に挿通することにより、前記マグネット部が前後回動可能に軸支された状態の前記ケーシングを簡単に組み立てることができる。
【０００８】
本発明のドアストッパの上記（１）の構成においては、以下の（２）、（３）のような構成にすることが好ましい。
【０００９】
（２）前記２個のケーシング構成部材の対向する端面には、それぞれ、左右いずれか一方に凸部が形成され、他方に凹部が形成されており、前記２個のケーシング構成部材は、一方のケーシング構成部材の端面に形成された凸部を他方のケーシング構成部材の端面に形成された凹部に挿入することによって連結される。
【００１０】
上記（２）の好ましい構成によれば、連結された前記２個のケーシング構成部材からなるケーシングは、長手方向と直交する方向に力を加えてもバラバラになることはない。従って、上記のようにして組み立てられた、マグネット部が前後回動可能に軸支された状態の前記ケーシングを、ケーシング埋設孔にスムーズに埋め込むことができる。また、上記（２）の好ましい構成によれば、前記２個のケーシング構成部材を、凸部及び凹部を含めて全く同じ形状に形成することができる。このため、１種類のケーシング構成部材を作製すればよいので、安価なケーシングを提供することが可能となる。
【００１１】
（３）前記マグネット部は、下面がフラットなマグネット収容容器と、前記マグネット収容容器に収容されるマグネットと、からなる。
【００１２】
上記（３）の好ましい構成によれば、前記マグネットのみを簡単に交換することができる。従って、上記（３）の好ましい構成によれば、厚みの異なるマグネットに交換することにより、又は、前記マグネット収容容器に収容されるマグネットの個数を増減させることにより、前記マグネット部の磁力（吸引力）を変更して、前記ドアを前記所定の開扉位置に保持するための保持力を自由に変更することが可能となる。
【発明の効果】
【００１３】
本発明によれば、特にストッパ本体をドアに埋め込むタイプのドアストッパであって、取り付け間違いが発生することがなく、しかも簡単に組み立てることが可能なストッパ本体を備えたドアストッパを提供することができる。
【図面の簡単な説明】
【００１４】
【図１】図１は、本発明の一実施の形態におけるドアストッパの構成を示す斜視図である。
【図２】図２は、本発明の一実施の形態におけるドアストッパの構成要素であるストッパ本体を示す外観斜視図である。
【図３】図３は、本発明の一実施の形態におけるドアストッパの構成要素であるストッパ本体を示す底面図である。
【図４】図４は、図２のＩＶ−ＩＶ線断面図（縦断面図）である。
【図５】図５は、本発明の一実施の形態におけるドアストッパの構成要素であるストッパ本体のドアへの取付方法を示す斜視図である。
【図６】図６は、図２のＢ−Ｂ線矢視図である（マグネット部が前方向に回動した状態）。
【図７】図７は、図２のＢ−Ｂ線矢視図である（マグネット部が後方向に回動した状態）。
【図８】図８は、本発明の一実施の形態におけるドアストッパの動作を説明するための断面図である。
【図９】図９は、本発明の一実施の形態におけるドアストッパの構成要素であるストッパ本体を分解して示した底面図である。
【図１０】図１０は、本発明の一実施の形態におけるドアストッパの構成要素であるストッパ本体を分解して示した縦断面図である。
【図１１】図１１は、本発明の一実施の形態におけるドアストッパの構成要素であるストッパ本体のケーシング構成部材を示す斜視図である。
【図１２】図１２は、本発明の一実施の形態におけるドアストッパの構成要素であるストッパ本体のマグネット部を示す分解斜視図である。
【図１３】図１３は、本発明の一実施の形態におけるドアストッパの構成要素であるストッパ本体のドアへの取付方法の他の例を示す斜視図である。
【図１４】図１４は、本発明の一実施の形態におけるドアストッパの構成要素であるストッパ本体の他の例のドアへの取付方法を示す斜視図である。
【図１５】図１５は、本発明の一実施の形態におけるドアストッパの構成要素であるストッパ本体のマグネット部の他の例を示す分解斜視図である。
【発明を実施するための形態】
【００１５】
以下、好適な実施の形態を用いて本発明をさらに具体的に説明する。但し、下記の実施の形態は本発明を具現化した例に過ぎず、本発明はこれに限定されるものではない。
【００１６】
［ドアストッパの全体構成］
まず、本発明の一実施の形態におけるドアストッパの全体構成について、図１〜図７を参照しながら説明する。
【００１７】
図１は、本発明の一実施の形態におけるドアストッパの構成を示す斜視図、図２は、当該ドアストッパの構成要素であるストッパ本体を示す外観斜視図、図３は、当該ストッパ本体を示す底面図、図４は、図２のＩＶ−ＩＶ線断面図（縦断面図）、図５は、当該ストッパ本体のドアへの取付方法を示す斜視図、図６は、図２のＢ−Ｂ線矢視図（マグネット部が前方向に回動した状態）、図７は、図２のＢ−Ｂ線矢視図（マグネット部が後方向に回動した状態）である。
【００１８】
図１に示すように、本実施の形態のドアストッパ１は、ドア２の下部に固定されるストッパ本体３と、ドア２の所定の開扉位置における床面に固定される係止具本体４と、を備えている。ここで、係止具本体４は、磁性体からなる平板状の係止片５を有しており、当該係止片５は、前記所定の開扉位置におけるドア２の下辺と略平行な軸線を回動軸線として上下回動可能に基端５ａが軸支されている（両矢印Ａ参照）。
【００１９】
図１〜図４に示すように、ストッパ本体３は、ドア２に固定されるケーシング６を備えており、当該ケーシング６は、下面が開口した横長の略直方体状に形成されている。ケーシング６には、上面の両端部に貫通孔７ａ、７ｂが穿設されている。また、図５に示すように、ドア２には、下面から上部方向に向けて、ケーシング６の外形よりも若干大きいケーシング埋設孔８が形成されている。そして、図１、図４、図５に示すように、ストッパ本体３のケーシング６を、ドア２のケーシング埋設孔８に埋め込み、貫通孔７ａ、７ｂを通してビス９ａ、９ｂをドア２に捩じ込むことにより、ストッパ本体３をドア２の下部に固定することができる。
【００２０】
図１、図３、図４、図６、図７に示すように、ストッパ本体３は、ドア２の下辺と略平行な軸線を回動軸線としてケーシング６内で前後回動可能に軸支されたマグネット部１０を有している。ここで、マグネット部１０は、下面がフラットに形成されている。また、マグネット部１０の回動軸１１ａ、１１ｂは、当該マグネット部１０の水平中心線上に位置している。
【００２１】
以上のように、本実施の形態のドアストッパ１の構成要素であるストッパ本体３は、ドア２に固定される横長の略直方体状のケーシング６を備え、かつ、ドア２の下辺と略平行な軸線を回動軸線としてケーシング６内で前後回動可能に軸支されたマグネット部１０を有している。また、マグネット部１０の回動軸１１ａ、１１ｂは、当該マグネット部１０の水平中心線上に位置している。すなわち、ストッパ本体３は、ケーシング６をドア２のケーシング埋設孔８に埋め込んで固定する際に向きを問わない構成となっている。言い換えれば、ストッパ本体３は、ケーシング６をドア２のケーシング埋設孔８にどちら向きに埋め込んでも、同じような動きをする。従って、本実施の形態のドアストッパ１の構成によれば、ストッパ本体３の取り付け間違いが発生することのないドアストッパを提供することができる。
【００２２】
［ドアストッパの動作］
次に、本発明の一実施の形態におけるドアストッパの動作について、図８をも参照しながら説明する。
【００２３】
図８は、本発明の一実施の形態におけるドアストッパの動作を説明するための断面図である。
【００２４】
図１、図８に示すように、ドア２が所定の開扉位置に来ると、ドア２に固定されたストッパ本体３のマグネット部１０の吸引力により、床面に固定された係止具本体４の係止片５が基端５ａを中心として回動し（図８の矢印Ｃ参照）、当該係止片５の自由端５ｂが床面から突出してストッパ本体１０と係合する（係止片５の自由端５ｂがマグネット部１０に吸着される）。そして、これにより、ドア２が前記所定の開扉位置に保持される。この場合、図８に示すように、マグネット部１０は、前方向に回動して、下面が係止片５と平行な状態となる。すなわち、係止片５は、マグネット部１０の下面と面接触した状態となる。従って、本実施の形態のドアストッパ１によれば、係止片５とマグネット部１０との密着性を良好なものとすることができるので、前記所定の開扉位置に保持されたドア２がガタつくことはない。また、このように、係止片５とマグネット部１０との密着性を良好なものとすることができるので、磁力の小さいマグネットを用いた場合であっても、ドア２を前記所定の開扉位置に保持するのに十分な保持力を確保することができる。
【００２５】
ところで、現在流通しているドアストッパの中には、ストッパ本体に上下調整機構を設けることによってアンダーカット１０〜１５ｍｍのドアに対応できるようにしたものが存在する。しかし、かかる構成のドアストッパでは、構造が複雑となって、コストアップに繋がってしまう。これに対し、本実施の形態のドアストッパ１においては、マグネット部１０が、その水平中心線上に位置する回動軸１１ａ、１１ｂを中心としてケーシング６内で前後回動可能に軸支される構成となっているため、ケーシング６の高さ、マグネット部１０の厚み等を適宜変更することにより、マグネット部１０の回動範囲を広くとることが可能となる。このため、ドア２のアンダーカットが５ｍｍと小さくても、３０ｍｍと大きくても、係止片５がマグネット部１０の下面と面接触した状態となり、ドア２を前記所定の開扉位置に保持するのに十分な保持力を確保することができる。従って、本実施の形態のドアストッパ１によれば、ストッパ本体３に上下調整機構等を設けることなく、アンダーカット５〜３０ｍｍのドアにも容易に対応することが可能なドアストッパを提供することができる。
【００２６】
［ストッパ本体の構成］
次に、本発明の一実施の形態におけるドアストッパの構成要素であるストッパ本体の、より具体的な構成について、図９〜図１２をも参照しながら説明する。
【００２７】
図９は、本発明の一実施の形態におけるドアストッパの構成要素であるストッパ本体を分解して示した底面図、図１０は、当該ストッパ本体を分解して示した縦断面図、図１１は、当該ストッパ本体のケーシング構成部材を示す斜視図、図１２は、当該ストッパ本体のマグネット部を示す分解斜視図である。
【００２８】
図３、図４、図９、図１０に示すように、ストッパ本体３のケーシング６は、その長手方向と直交する面で左右対称に分割して形成された２個のケーシング構成部材６ａ、６ｂからなっている。そして、ケーシング構成部材６ａ、６ｂには、それぞれ、マグネット部１０の円柱状の回動軸１１ａ、１１ｂが挿入される円筒孔１２ａ、１２ｂを有する軸受１３ａ、１３ｂが形成されている。ここで、ケーシング構成部材６ａの端面から軸受１３ａまでの距離は、ケーシング構成部材６ｂの端面から軸受１３ｂまでの距離と等しくなっている。また、軸受１３ａ（１３ｂ）の底面は、ケーシング構成部材６ａ（６ｂ）の底面から後退して形成されている。
【００２９】
ケーシング６をこのように構成したことにより、まず、マグネット部１０の一方の回動軸１１ａを、一方のケーシング構成部材６ａの軸受１３ａの円筒孔１２ａに挿入し、次いで、他方のケーシング構成部材６ｂの軸受１３ｂの円筒孔１２ｂを、マグネット部１０の他方の回動軸１１ｂに挿通することにより、マグネット部１０が前後回動可能に軸支された状態のケーシング６を簡単に組み立てることができる。そして、このようにして組み立てたケーシング６を、上記のようにしてケーシング埋設孔８に埋め込んでビス留めすることにより、ストッパ本体３をドア２の下部に固定することができる。
【００３０】
図６、図７、図９〜図１１に示すように、ケーシング構成部材６ａ、６ｂの対向する端面には、それぞれ、左側に円柱状の凸部１４が形成され、右側に円筒状の凹部１５が形成されている。そして、ケーシング構成部材６ａ、６ｂは、一方のケーシング構成部材６ａ（６ｂ）の端面に形成された凸部１４を他方のケーシング構成部材６ｂ（６ａ）の端面に形成された凹部１５に挿入することによって連結される。このようにして連結されたケーシング構成部材６ａ、６ｂからなるケーシング６は、長手方向と直交する方向に力を加えてもバラバラになることはない。従って、上記のようにして組み立てられた、マグネット部１０が前後回動可能に軸支された状態のケーシング６を、ケーシング埋設孔８にスムーズに埋め込むことができる。
【００３１】
以上のように、ケーシング構成部材６ａ、６ｂは、凸部１４及び凹部１５を含めて全く同じ形状になっている。このため、１種類のケーシング構成部材を作製すればよいので、安価なケーシング６を提供することが可能となる。
【００３２】
図３、図４、図９、図１０、図１２に示すように、マグネット部１０は、有底円筒状のマグネット収容容器１６と、マグネット収容容器１６に収容される円盤状のマグネット１７と、からなっている。ここで、マグネット１７としては、ネオジウム磁石が用いられている。また、マグネット部１０の回動軸１１ａ、１１ｂは、マグネット収容容器１６の外周面に固着されている。
【００３３】
マグネット部１０をこのように構成したことにより、マグネット１７のみを簡単に交換することができる。そして、例えば、厚みの異なるマグネットに交換することにより、又は、マグネット収容容器１６に収容されるマグネットの個数を増減させることにより、マグネット部１０の磁力（吸引力）を変更することができる。従って、本実施の形態のドアストッパ１によれば、ドア２を前記所定の開扉位置に保持するための保持力を自由に変更することが可能となる。
【００３４】
尚、上記実施の形態においては、ストッパ本体３のケーシング６の端面がドア２の端面に露出した状態で、当該ケーシング６を、ドア２のケーシング埋設孔８に埋め込む場合を例に挙げて説明したが（図５参照）、本発明は必ずしもこのような構成に限定されるものではない。例えば、図１３に示すように、ケーシング埋設孔８をドア２の端面から離間して形成し、このようにして形成したケーシング埋設孔８にケーシング６を埋め込むようにしてもよい。この構成によれば、ストッパ本体３がドア２の外部から見えないようにすることが可能となるので、ドア２を外見上すっきりしたものとすることができる。
【００３５】
また、上記実施の形態においては、ストッパ本体３をドア２の下部に埋め込んで固定する場合を例に挙げて説明したが、本発明は必ずしもこのような構成に限定されるものではない。例えば、図１４に示すように、ストッパ本体３のケーシング６を構成するケーシング構成部材６ａ、６ｂにそれぞれビス挿通孔１８ａ、１８ｂを形成し、ビス１９ａ、１９ｂを用いてストッパ本体３をドア２の下部の外面にビス留めするようにしてもよい。
【００３６】
また、上記実施の形態においては、マグネット部１０が、有底円筒状のマグネット収容容器１６と、マグネット収容容器１６に収容される円盤状のマグネット１７と、からなる場合を例に挙げて説明したが、本発明は必ずしもこのような構成に限定されるものではない。マグネットは、例えば、矩形状のものであってもよい。そして、マグネット収容容器の形状も、マグネットの形状に合わせて適宜変更することができる。また、円盤状のマグネット１７を用いる場合の、マグネット収容容器は、マグネット収容部だけが円筒状であれば、外形はいかなる形状であってもよい。例えば、図１４に示すように、外形が直方体状のマグネット収容容器２１を用いることもできる。そして、外形が直方体状のマグネット収容容器２１を用いれば、円柱状の回動軸１１ａ、１１ｂをマグネット収容容器２１の外面に溶接等によって容易に固着することができる。
【００３７】
また、上記実施の形態においては、マグネット１７としてネオジウム磁石を用いる場合を例に挙げて説明したが、本発明は必ずしもこのような構成に限定されるものではない。マグネット１７としては、例えば、フェライト磁石、アルニコ磁石等の、他の種類の磁石を用いてもよい。
【産業上の利用可能性】
【００３８】
本発明によれば、特にストッパ本体をドアに埋め込むタイプのドアストッパであって、取り付け間違いが発生することがなく、しかも簡単に組み立てることが可能なストッパ本体を備えたドアストッパを提供することができる。従って、本発明のドアストッパは、ストッパ本体の取り付け作業の効率化を図る上で有用である。
【符号の説明】
【００３９】
１  ドアストッパ
２  ドア
３  ストッパ本体
４  係止具本体
５  係止片
５ａ  係止片の基端
５ｂ  係止片の自由端
６  ケーシング
６ａ、６ｂ  ケーシング構成部材
８  ケーシング埋設孔
９ａ、９ｂ  ビス
１０  マグネット部
１１ａ、１１ｂ  マグネット部の回動軸
１２ａ、１２ｂ  円筒孔
１３ａ、１３ｂ  軸受
１４  凸部
１５  凹部
１６、２１  マグネット収容容器
１７  マグネット
１８ａ、１８ｂ  フランジ
１９  ビス孔
【図１】
2015108222.tif 000003
【図２】
2015108222.tif 000004
【図３】
2015108222.tif 000005
【図４】
2015108222.tif 000006
【図５】
2015108222.tif 000007
【図６】
2015108222.tif 000008
【図７】
2015108222.tif 000009
【図８】
2015108222.tif 000010
【図９】
2015108222.tif 000011
【図１０】
2015108222.tif 000012
【図１１】
2015108222.tif 000013
【図１２】
2015108222.tif 000014
【図１３】
2015108222.tif 000015
【図１４】
2015108222.tif 000016
【図１５】
2015108222.tif 000017